(57)【要約】【課題】コストの低減化を図ることができる自動販売機を提供すること。【解決手段】上壁１１、一対の側壁１２、底壁１３、背壁１４から成る前面が開口した外箱１０の内部に、断熱材から成る板状の断熱ボード２１を配設して断熱構造の商品収容室２０を構成し、該商品収容室２０の内部を断熱仕切板２２により複数の商品収容庫２３を画成し、各商品収容庫２３毎に商品収納ラック３０を配設した自動販売機において、底壁１３の設置部位に配設された断熱ボード２１は、各商品収容庫２３に対応する第１通孔部２１１、第２通孔部２１２及びドレンパン凹部２１３がそれぞれ互いの間隔が予め決められた標準化された寸法となるよう設けられた断熱ボード基体２１ａを、その幅寸法及び奥行き寸法が設置部位の幅寸法及び奥行き寸法に一致するよう必要に応じて裁断加工することにより構成したものである。【選択図】図５
2012190174.tif 000002
【特許請求の範囲】
【請求項１】
上壁、一対の側壁、底壁、背壁から成る前面が開口した自動販売機本体の内部に、断熱材から成る板状の断熱ボードを配設して断熱構造の室を構成し、該室の内部を仕切板により複数の商品収容庫を画成し、各商品収容庫毎に商品収納ラックを配設した自動販売機において、
前記底壁の設置部位に配設された断熱ボードは、
各商品収容庫に対応する孔部及び凹部がそれぞれ互いの間隔が予め決められた標準化された寸法となるよう設けられた板状体を、その幅寸法及び奥行き寸法が前記設置部位の幅寸法及び奥行き寸法に一致するよう必要に応じて裁断加工することにより構成したものであることを特徴とする自動販売機。
【発明の詳細な説明】
【技術分野】
【０００１】
本発明は、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機においては、前面が開口した自動販売機本体の内部に断熱構造の商品収容庫が設けられているとともに、この商品収容庫の内部に商品を収納するための商品収納ラックが設けられている。そして、商品収容庫の内部雰囲気を冷却、若しくは加熱することによって商品収納ラックに収納された商品を所望の温度状態に維持するようにしている。
【０００３】
商品収容庫は、自動販売機本体の上壁、一対の側壁、底壁及び背壁の設置部位に断熱材から成る板状の断熱ボードを配設して断熱構造の室を構成し、該室の内部を仕切板により仕切ることにより画成されるものである（例えば、特許文献１参照）。
【先行技術文献】
【特許文献】
【０００４】
【特許文献１】特許第３９７５６２０号公報
【発明の概要】
【発明が解決しようとする課題】
【０００５】
ところで、自動販売機は機種によってその庫内容積が異なる。特に、商品収納ラックの前後に並ぶコラム列数を変えて販売商品のセレクションにバリエーションをもたせるために、自動販売機本体の奥行き寸法が機種によって異なる。そのため、商品収容庫を画成する断熱ボードも機種毎に応じてその大きさが異なる。特に自動販売機本体の底壁の設置部位に配設される断熱ボードは、各商品収容庫毎にドレンパンを設置するための設置用の凹部や、ドレンパイプや冷却ユニットのパイプ類の通し用の孔部を形成しなければならない。よって、機種毎に応じて金型を作製して、底壁に配設される断熱ボードを製作する必要があった。従って、各金型の作製に要する費用も過大なものとなり、製造コストの増大化を招来していた。
【０００６】
本発明は、上記実情に鑑みて、コストの低減化を図ることができる自動販売機を提供することを目的とする。
【課題を解決するための手段】
【０００７】
上記目的を達成するために、本発明の請求項１に係る自動販売機は、上壁、一対の側壁、底壁、背壁から成る前面が開口した自動販売機本体の内部に、断熱材から成る板状の断熱ボードを配設して断熱構造の室を構成し、該室の内部を仕切板により複数の商品収容庫を画成し、各商品収容庫毎に商品収納ラックを配設した自動販売機において、前記底壁の設置部位に配設された断熱ボードは、各商品収容庫に対応する孔部及び凹部がそれぞれ互いの間隔が予め決められた標準化された寸法となるよう設けられた板状体を、その幅寸法及び奥行き寸法が前記設置部位の幅寸法及び奥行き寸法に一致するよう必要に応じて裁断加工することにより構成したものであることを特徴とする。
【発明の効果】
【０００８】
本発明の自動販売機によれば、底壁の設置部位に配設された断熱ボードは、各商品収容庫に対応する孔部及び凹部がそれぞれ互いの間隔が予め決められた標準化された寸法となるよう設けられた板状体を、その幅寸法及び奥行き寸法が設置部位の幅寸法及び奥行き寸法に一致するよう必要に応じて裁断加工することにより構成したものであるので、適用される自動販売機の機種毎に応じて金型を作製しなくても、単一の金型で板状体を作成し、適用される機種に応じた寸法に一致するよう板状体の外径寸法を裁断すればよい。従って、単一の金型を用いることが可能になるため、コストの低減化を図ることができるという効果を奏する。
【図面の簡単な説明】
【０００９】
【図１】図１は、本発明の実施の形態である自動販売機を概念的に示す概念図である。
【図２】図２は、図１に示した自動販売機の外箱及び商品収容室の構成を示す概念図である。
【図３】図３は、図１に示した自動販売機の外箱の内部における１つの商品収容庫の内部構造を示す断面側面図である。
【図４】図４は、図１及び図２に示した商品収容室を構成するもので、底壁の設置部位に配設される断熱ボードを示す平面図である。
【図５】図５は、図４に示した断熱ボードの製造過程を示す説明図である。
【図６】図６は、図４に示した断熱ボードの他の製造過程を示す説明図である。
【図７】図７は、図４に示した断熱ボードの他の製造過程を断面で示す説明図である。
【発明を実施するための形態】
【００１０】
以下に添付図面を参照して、本発明に係る自動販売機の好適な実施の形態について詳細に説明する。
【００１１】
図１は、本発明の実施の形態である自動販売機を概念的に示す概念図である。ここで例示する自動販売機は、例えば缶入り飲料やペットボトル入り飲料等の商品を冷却、若しくは加熱した状態で販売するもので、外箱１０、外扉４０及び内扉５０を備えている。
【００１２】
外箱１０は、図２に示すように、複数の金属板を適宜組み合わせることによって構成した自動販売機本体であり、前面が開口した箱状に構成してある。より具体的には、上壁１１、一対の側壁１２、底壁１３、背壁１４を接合することによって外箱１０を構成している。一対の側壁１２は、それぞれ底壁１３よりも下方に延在しており、互いの間に台座壁１５を接合してある。
【００１３】
外箱１０には、その内部に断熱構造の商品収容室２０が設けてある。本実施の形態では、図２に示すように、上壁１１、一対の側壁１２、底壁１３、背壁１４の内壁面の設置部位にそれぞれ予め板状に成形した断熱ボード２１を配設することにより、これら断熱ボード２１によって囲まれる空間に商品収容室２０を構成している。そして、商品収容室２０に対して前方側より例えば２つの断熱仕切板２２を挿入させることで、外箱１０の内部に３つの独立した商品収容庫２３が左右に並んだ態様で設けられている。
【００１４】
図３は、図１に示した外箱１０の内部における１つの商品収容庫２３の内部構造を示す断面側面図である。この図３では、最も左側にある商品収容庫（以下、左庫ともいう）２３の内部構造について示すが、中央の商品収容庫（以下、中庫ともいう）２３及び右側の商品収容庫（以下、右庫ともいう）２３の内部構造も左庫２３と略同じような構成を有している。尚、本明細書における左側とは、自動販売機を正面側から見た場合の左方を示し、右側とは、自動販売機を正面側から見た場合の右方を示す。
【００１５】
左庫２３の内部には、搬出シュータ２４が設けてあり、この搬出シュータ２４よりも下方となる領域（以下、「熱交換領域」ともいう）に温度調節ユニット２５が配設してある一方、搬出シュータ２４よりも上方となる領域（以下、「商品収納領域」ともいう）に商品収納ラック３０が配設してある。
【００１６】
搬出シュータ２４は、商品収納ラック３０から払い出された商品を内扉５０の商品搬出口に案内するためのプレート状部材であり、前方側に向けて漸次下方に傾斜する態様で配設してある。この搬出シュータ２４には、熱交換領域と商品収納領域との間を連通させる通気孔が多数穿設してある。
【００１７】
温度調節ユニット２５は、左庫２３の内部雰囲気を所望の温度状態に維持するためのもので、蒸発器２５ａ、電熱ヒータ２５ｂ及び庫内送風ファン２５ｃを備えて構成してある。
【００１８】
蒸発器２５ａは、圧縮機２６１、凝縮器２６２及び膨張弁２６３と冷媒配管２７にて接続されて冷凍サイクルを構成するものであり、自身の流路を通過する冷媒が蒸発することで周囲空気を冷却するものである。ここで、圧縮機２６１、凝縮器２６２及び膨張弁２６３は、外箱１０の内部であって商品収容室２０の下方に区画された機械室１６に配設してある。
【００１９】
電熱ヒータ２５ｂは、蒸発器２５ａの前方域に配設してあり、通電状態となることにより自身の周囲空気を加熱する加熱源である。庫内送風ファン２５ｃは、左庫（商品収容庫）２３の内部空気を循環させるための送風手段である。
【００２０】
このような温度調節ユニット２５においては、例えば冷凍サイクルを運転した状態で庫内送風ファン２５ｃを駆動すると、蒸発器２５ａにおいて冷却された空気が搬出シュータ２４の通気孔を通じて上方に送給されるため、商品収納ラック３０（商品収納領域）を低温状態に維持することができる。一方、電熱ヒータ２５ｂに通電した状態で庫内送風ファン２５ｃを駆動すると、電熱ヒータ２５ｂによって加熱された空気が搬出シュータ２４の通気孔を通じて上方に送給されるため、商品収納ラック３０（商品収納領域）を高温状態に維持することができる。
【００２１】
外扉４０は、外箱１０の前面開口を覆うためのもので、外箱１０の一側縁部に開閉可能に配設してある。外扉４０の前面には、商品を販売する際に必要となるディスプレイウィンドウ、商品選択ボタン、紙幣挿通口、硬貨投入口、返却レバー、金額表示器、硬貨返却口が設けてあるとともに（いずれも図示せず）、商品取出口４１が設けてある。
【００２２】
内扉５０は、商品収容庫２３（商品収容室２０）の前面を覆うためのもので、外扉４０よりも内方となる位置において外箱１０の一側縁部に開閉可能に配設した自動販売機用扉体である。この内扉５０は、上下に分割された構造を有しており、上側の扉５０ａは、商品の補充を行うためのものである。下側の扉５０ｂには、搬出シュータ２４を通じて払い出される商品を通過させる商品搬出口５１及びこの商品搬出口５１を開閉する商品搬出口扉５２が設けてある。
【００２３】
図４は、図１及び図２に示した商品収容室２０を構成するもので、底壁１３の設置部位に配設される断熱ボード２１を示す平面図である。ここで例示する断熱ボード２１は、例えば発泡スチロールや発泡ウレタン等で構成される矩形状の板材であり、底壁１３の設置部位を覆うのに十分な大きさを有している。この断熱ボード２１には、第１通孔部２１１及び第２通孔部２１２が設けてある。
【００２４】
第１通孔部２１１は、複数（図示の例では３つ）設けてあり、断熱ボード２１の前端部に設けてある。これら第１通孔部２１１は、冷凍サイクルを構成する冷媒配管２７が挿通するものであり、左側の第１通孔部２１１には左庫２３の蒸発器２５ａに接続される冷媒配管２７が挿通し、中央の第１通孔部２１１には中庫２３の蒸発器２５ａに接続される冷媒配管２７が挿通し、右側の第１通孔部２１１には右庫２３の蒸発器２５ａに接続される冷媒配管２７が挿通する。
【００２５】
第２通孔部２１２は、複数（図示の例では３つ）設けてあり、断熱ボード２１の後部に設けてある。これら第２通孔部２１２は、それぞれドレンパン（図示せず）を設置するためのドレンパン凹部２１３に形成されている。ここでドレンパンは、上記蒸発器２５ａの結露水を受け止める皿状のものである。従って、ドレンパン凹部２１３に設置されたドレンパンの上に上記蒸発器２５ａが配設されることになる。つまり、左側のドレンパン凹部２１３に設置されたドレンパンの上には左庫２３の蒸発器２５ａが配設され、中央のドレンパン凹部２１３に設置されたドレンパンの上には中庫２３の蒸発器２５ａが配設され、右側のドレンパン凹部２１３に設置されたドレンパンの上には右庫２３の蒸発器２５ａが配設されることになる。第２通孔部２１２は、それぞれドレンパンにその底部に連通する態様で連結されたドレンパイプが挿通するものである。
【００２６】
このような底壁１３に配設された断熱ボード２１においては、第１通孔部２１１どうしの互いの間隔や、第２通孔部２１２どうしの互いの間隔、ドレンパン凹部２１３どうしの互いの間隔が予め決められた標準化された寸法となるように規定されている。
【００２７】
そして、かかる断熱ボード２１は次のようにして形成されるものである。図５の（ａ）に示すように、適用されるもののうち最大のものに合わせた外形を有する断熱ボード（以下、断熱ボード基体ともいう）２１ａを用意する。かかる断熱ボード基体２１ａにも互いの間隔が標準化された寸法となる第１通孔部２１１及び第２通孔部２１２（ドレンパン凹部２１３を含む）が形成してある。
【００２８】
この断熱ボード基体２１ａに対して、適用される自動販売機の設置部位の幅寸法及び奥行き寸法に一致するように裁断加工（図５の（ａ）の二点鎖線で示す個所を裁断加工）することで、図５の（ｂ）に示すように、本実施の形態である自動販売機に適用される断熱ボード２１を形成することができる。
【００２９】
このように本実施の形態である自動販売機においては、底壁１３の設置部位に配設された断熱ボード２１が、各商品収容庫２３に対応する第１通孔部２１１、第２通孔部２１２及びドレンパン凹部２１３がそれぞれ互いの間隔が予め決められた標準化された寸法となるよう設けられた断熱ボード基体（板状体）２１ａを、その幅寸法及び奥行き寸法が設置部位の幅寸法及び奥行き寸法に一致するよう必要に応じて裁断加工することにより構成したものである。これにより、適用される自動販売機の機種毎に応じて金型を作製しなくても、単一の金型で断熱ボード基体２１ａを作成し、適用される機種に応じた寸法に一致するよう断熱ボード基体２１ａの外径寸法を裁断すればよい。従って、単一の金型を用いることが可能になるため、コストの低減化を図ることができる。
【００３０】
上述した実施の形態では、第１通孔部２１１と第２通孔部２１２との間隔を変更せずに断熱ボード基体２１ａを裁断加工した場合について説明したが、第１通孔部２１１と第２通孔部２１２との互い間隔を断熱ボード基体２１ａに設けられたものに対して変更する必要がある場合には、次のようにしても構わない。図６の（ａ）及び図７の（ａ）に示すように断熱ボード基体２１ａを用意し、所定個所（図６の（ａ）及び図７の（ａ）の二点鎖線で示す個所）を裁断する。この際、第１通孔部２１１と第２通孔部２１２との間で裁断する場合には、図７の（ａ）に示すように所定角度だけ傾くよう斜めに裁断する。その後、図７の（ｂ）に示すように不要な部分を排除して、第１通孔部２１１が設けられたものと、第２通孔部２１２が設けられたものとを接合させることで所望の断熱ボード２１が形成される（図７の（ｂ）参照）。この場合、所定角度だけ傾くよう斜めに裁断したことで２つの部材の接合個所では隙間が生じることを抑制することができる。
【産業上の利用可能性】
【００３１】
以上のように、本発明に係る自動販売機は、例えば缶入り飲料やペットボトル入り飲料等の商品を販売するのに有用である。
【符号の説明】
【００３２】
１０  外箱
１１  上壁
１２  側壁
１３  底壁
１４  背壁
２０  商品収容室
２１  断熱ボード
２１１  第１通孔部
２１２  第２通孔部
２１３  ドレンパン凹部
２１ａ  断熱ボード基体
２２  断熱仕切板
２３  商品収容庫
２４  搬出シュータ
２５  温度調節ユニット
３０  商品収納ラック
４０  外扉
４１  商品取出口
５０  内扉
【図１】
2012190174.tif 000003
【図２】
2012190174.tif 000004
【図３】
2012190174.tif 000005
【図４】
2012190174.tif 000006
【図５】
2012190174.tif 000007
【図６】
2012190174.tif 000008
【図７】
2012190174.tif 000009